(57)【要約】  本発明はドア錠装置に関するものである。本発明のドア錠装置は、戸枠に取り付けられる戸枠固定部と、前記戸枠固定部に一部が内挿固定され、前面部に第１シャンク案内部が形成されているスイッチボックスと、前記第１シャンク案内部に沿って移動可能なシャンクと前記シャンクの一端部に一体に形成され、前記スイッチボックスに内挿される係止片と前記シャンクの他端部に一体に形成され、第１シャンク案内部の外側に突出しているヘッドからなるスイッチを含む係止装置と、ドアに取り付けられる固定ピンが形成されたドア固定部と、一側に形成され前記固定ピンにヒンジ結合するヒンジ結合部と、中央部に形成され前記ヒンジ結合部を回折させることにより、ヘッドの挿入が可能な固定溝および前記固定溝から連続的につながる第２シャンク案内部を含むロック部と、他側に形成され前記第２シャンク案内部から方向転換されて連続的につながる移動部を含む固定装置と、で構成されるので、本発明は、ドア錠装置と係止装置が係合することにより、ドアが開閉できないようにし、ドアを一定間隔開で開いた場合にも、外部の人の力でドアを完全に開くことができないという効果がある。
2010510410.tif 000002
【特許請求の範囲】
【請求項１】
戸枠に係止装置が設けられ、ドアに固定装置が設けられるドア錠装置において、
戸枠に取り付けられる戸枠固定部と、前記戸枠固定部に一部が内挿固定され、前面部に第１シャンク案内部が形成されているスイッチボックスと、前記第１シャンク案内部に沿って移動可能なシャンクと前記シャンクの一端部に一体に形成され、前記スイッチボックスに内挿される係止片と前記シャンクの他端部に一体に形成され、第１シャンク案内部の外側に突出しているヘッドからなるスイッチを含む係止装置と、
ドアに取り付けられる固定ピンが形成されたドア固定部と、一側に形成され前記固定ピンにヒンジ結合するヒンジ結合部と、中央部に形成され前記ヒンジ結合部を回折させることにより、ヘッドの挿入が可能な固定溝および前記固定溝から連続的につながる第２シャンク案内部を含むロック部と、他側に形成され前記第２シャンク案内部から方向転換されて連続的につながる移動部を含む固定装置と、で構成されることを特徴とするドア錠装置。
【請求項２】
前記スイッチボックスには、前面部にスイッチ調節案内部が形成され、前記スイッチの係止片の一側にはスイッチ調節部が突設し前記スイッチ調節案内部を貫通して形成されることにより、スイッチ調節部の移動軌跡はシャンクの移動軌跡と一致することを特徴とする請求項１に記載のドア錠装置。
【請求項３】
前記スイッチ調節案内部は、固定突部をさらに含むことにより、スイッチ調節部が動かないように固定させることを特徴とする請求項２に記載のドア錠装置。
【請求項４】
前記スイッチボックスの一側面に調節通孔が形成され、前記スイッチの係止片の一側にはスイッチ調節部が突設し前記調節通孔を貫通して形成され、前記スイッチ調節部を動かすことによって、スイッチのシャンクが第１シャンク案内部に沿って移動することを特徴とする請求項１に記載のドア錠装置。
【請求項５】
弾性部が前記スイッチボックスに内挿され、前記スイッチ調節部を動かすことにより、スイッチのシャンクは第１シャンク案内部に沿って移動し、前記弾性部によって位置固定されることを特徴とする請求項４に記載のドア錠装置。
【請求項６】
前記弾性部は、板バネであり、前記スイッチボックスの左右側面に内挿され、前記スイッチ調節部を動かすことにより、スイッチのシャンクが第１シャンク案内部に沿って移動し、前記板バネの付勢力によってシャンクの位置がスイッチボックスの上側または下側に固定されることを特徴とする請求項５に記載のドア錠装置。
【請求項７】
ヘッドの形状は、球体または四面体、六面体、八面体など一定の体積を持つ多面体であり、固定溝は、前記ヘッドの形状中のいずれかの平断面形状より大きいか或いは同一であり、第２シャンク案内部と移動部の幅は、前記ヘッドが離脱できない寸法で形成されることを特徴とする請求項１ないし請求項６のいずれか一項に記載のドア錠装置。
【請求項８】
前記移動部は、前記ロック部の第２シャンク案内部からつながって‘┌’字状に形成されることを特徴とする請求項４に記載のドア錠装置。
【請求項９】
前記移動部は、前記ロック部の第２シャンク案内部からつながって‘┌’字状或いは‘Ｌ’字状に形成されることを特徴とする請求項５または６に記載のドア錠装置。
【請求項１０】
前記ヒンジ結合部の端部の外周縁には、半弧状の係止溝を順次に連続形成させ、係止溝と対応する位置のヒンジ結合部が結合されたドア固定部に形成させたスプリングの付勢力によって、上方向に付勢されるボールが係止溝に加圧され、ロック部の回転角度が段階的に変化するように構成することを特徴とする請求項１に記載のドア錠装置。
【請求項１１】
前記スイッチボックスの上下部面に形成させた調節通孔に断面の形状が円形のスイッチ調節部を嵌挿するが、スイッチ調節部の外周縁にはコイルスプリングを装着し、スイッチ調節部が弾力的に付勢されるようにして、前記スイッチボックスの前方に形成させた第１シャンク案内部に露出されたヘッドとシャンクの上下作動によって、スイッチ調節部の昇降作動が可能に構成することを特徴とする請求項１に記載のドア錠装置。
【請求項１２】
前記固定装置の移動部は、対向する内周面に交互に突部が順次形成され、移動部で摺動するシャンクが、突部によって移動範囲が制限されるように構成することを特徴とする請求項１に記載のドア錠装置。
【請求項１３】
戸枠に取り付けられる戸枠固定部の前面に突出してスイッチボックスを形成し、前記スイッチボックスに設けられ、外部に露出させたシャンクの上端部に回転可能にヘッドを結合させた係止装置と、
ドアに取り付けられるドア固定部に、固定ピンによってロック部を回転可能に結合させることができるように、前記ロック部は一側に形成させたヒンジ結合部に固定ピンを挿通して結合し、ヒンジ結合部の側方に固定溝を形成させ、ヘッドの角度によってヘッドを固定溝の内部に挿入し、固定溝に連通させ長さ方向に形成させた移動部を含む固定装置と、で構成することを特徴とするドア錠装置。
【請求項１４】
前記ヘッドは、横と縦方向の辺の長さが異なり、ヘッドの中心をシャンクにヒンジ結合させ、ヘッドと同じ形状の固定溝にヘッドを挿入させた後、９０°回転させ移動部の背面にヘッドが露出するようにし、固定溝と移動部でヘッドが係止されて離脱しないと共に、シャンクが移動部に沿って摺動可能に構成することを特徴とする請求項１３に記載のドア錠装置。
【請求項１５】
前記ヘッドは、横と縦方向の辺の長さが異なり、ヘッドの一側にシャンクをヒンジ結合するが、ヘッドの一側隅を弧状に丸く処理して、ヘッドと同じ形状の固定溝にヘッドを挿入させた後、９０°回転させ移動部の背面にヘッドが露出するようにし、固定溝と移動部でヘッドが係止されて離脱しないと共に、シャンクが移動部に沿って摺動可能な構成をさらに含むことを特徴とする請求項１３に記載のドア錠装置。
【発明の詳細な説明】
【技術分野】
【０００１】
本発明はドア錠装置に関するものであり、特に、ドアが閉じられた状態でドアが開かないように固定させることができ、訪問者の確認を要する時にもより一層安全性を得ることができるドア錠装置に関する。
【背景技術】
【０００２】
図１は、従来のドア錠装置１００に関するものであり、通常的な普通の家の玄関に設けられている施錠装置である。従来の係止装置１１０は戸枠にボルトなどの螺合により固定されており、この従来の係止装置１１０の一側は係止突起１１１が左右反転した‘Ｃ’字状になっている。
【０００３】
また、ドアに設けられる従来の固定装置１２０にヒンジ結合する回折バー１２１は、その断面が‘Ｈ’字状になっており、前記回折バー１２１の上部および下部に形成されている係止側壁部１２２中の一部が除去され、ドアが閉じている状態でヒンジ結合部において回折運動ができ、前記係止突起１１１が回折バー１２１の内部に挿入される構造で形成されている。
【０００４】
このような従来のドア錠装置１００は、外部からの訪問時における安全のために、係止突起１１１が回折バー１２１に挿入された状態でドアを開くと、係止突起１１１が回折バー１２１の端部まで移動した後、係止側壁部１２２によって係止されることにより、外部の安全性を確認してから、再びドアを閉じた後に回折バー１２１を回折させ、係止突起１１１の挿入状態を解除してからドアを開くことができる。
【０００５】
しかしながら、このような従来のドア錠装置１００は危険性が内在しているため、外部の人がドアの開放された僅かな隙間から紐などにより回折バー１２１を動かしたり、ドアが開放された隙間に板状のような工具を差し込んでからドアを引っ張ることで前記回折バー１２１を回折させることができた。
【０００６】
このように、従来のドア錠装置１００は、ドアを一定間隔で開放した状態で外部の人を確認しつつ安全性を確保するために使われているが、前記の説明の通り、その安全性に致命的な欠点が内在している。
【発明の概要】
【発明が解決しようとする課題】
【０００７】
本発明は、前記の問題点を解決するためになされたものであり、本発明の目的は、ドアの開閉に対する安全性を確保するだけでなく、ドアを一定間隔で開いても、その安全性を確保できるドア錠装置を提供することにある。
【０００８】
また本発明の目的は、様々な構造および形態からなるスイッチボックスおよび固定装置を含むドア錠装置を提供することにある。
【課題を解決するための手段】
【０００９】
このような本発明の目的を達成するために、本発明のドア錠装置は、戸枠に係止装置が設けられ、ドアに固定装置が設けられるドア錠装置において、戸枠に取り付けられる戸枠固定部と、前記戸枠固定部に一部が内挿固定され、前面部に第１シャンク案内部が形成されているスイッチボックスと、前記第１シャンク案内部に沿って移動可能なシャンク（ｓｈａｎｋ）と前記シャンクの一端部に一体に形成され、前記スイッチボックスに内挿される係止片と前記シャンクの他端部に一体に形成され、第１シャンク案内部の外側に突出しているヘッド（ｈｅａｄ）からなるスイッチを含む係止装置と、ドアに取り付けられる固定ピンが形成されたドア固定部と、一側に形成され前記固定ピンにヒンジ結合するヒンジ結合部と、中央部に形成され前記ヒンジ結合部を回折させることによりヘッドの挿入が可能な固定溝、および前記固定溝から連続的につながる第２シャンク案内部を含むロック部と、他側に形成され前記第２シャンク案内部から方向転換されて連続的につながる移動部を含む固定装置と、で構成されることを特徴とする。
【００１０】
本発明によると、前記スイッチボックスには、前面部にスイッチ調節案内部が形成され、前記スイッチの係止片の一側にはスイッチ調節部が突設し前記スイッチ調節案内部を貫通して形成されることにより、スイッチ調節部の移動軌跡はシャンクの移動軌跡と一致することを特徴とする。
【００１１】
本発明によると、前記スイッチ調節案内部は、固定突部をさらに含むことにより、スイッチ調節部が動かないように固定させることを特徴とする。
【００１２】
本発明によると、前記スイッチボックスの一側面に調節通孔が形成され、前記スイッチの係止片の一側にはスイッチ調節部が突設し前記調節通孔を貫通して形成され、前記スイッチ調節部を動かすことによって、スイッチのシャンクが第１シャンク案内部に沿って移動することを特徴とする。
【００１３】
本発明によると、弾性部が前記スイッチボックスに内挿され、前記スイッチ調節部を動かすことにより、スイッチのシャンクは第１シャンク案内部に沿って移動し、前記弾性部によって位置固定されることを特徴とする。
【００１４】
本発明によると、前記弾性部は板バネであり、前記スイッチボックスの左右側面に内挿され、前記スイッチ調節部を動かすことにより、スイッチのシャンクが第１シャンク案内部に沿って移動し、前記板バネの付勢力によってシャンクの位置がスイッチボックスの上側または下側に固定されることを特徴とする。
【００１５】
本発明によると、ヘッドの形状は、球体または四面体、六面体、八面体など一定の体積を持つ多面体であり、固定溝は前記ヘッドの形状中のいずれかの平断面形状より大きいか或いは同一であり、第２シャンク案内部と移動部の幅は前記ヘッドが離脱できない寸法で形成されることを特徴とする。
【００１６】
本発明によると、前記移動部は、前記ロック部の第２シャンク案内部からつながって‘┌’字状に形成されることを特徴とする。
【００１７】
本発明によると、前記移動部は、前記ロック部の第２シャンク案内部からつながって‘┌’字状或いは‘Ｌ’字状に形成されることを特徴とする。
【００１８】
本発明によると、前記ヒンジ結合部の端部の外周縁には、半弧状の係止溝を順次に連続形成させ、係止溝と対応する位置のヒンジ結合部が結合されたドア固定部に形成させたスプリングの付勢力によって、上方向に付勢されるボールが係止溝に加圧され、ロック部の回転角度が段階的に変化するように構成することを特徴とする。
【００１９】
本発明によると、前記スイッチボックスの上下部面に形成させた調節通孔に断面の形状が円形のスイッチ調節部を嵌挿するが、スイッチ調節部の外周縁にはコイルスプリングを装着し、スイッチ調節部が弾性的に付勢されるようにして、前記スイッチボックスの前方に形成させた第１シャンク案内部に露出されたヘッドとシャンクの上下作動によって、スイッチ調節部の昇降作動が可能に構成することを特徴とする。
【００２０】
本発明によると、前記固定装置の移動部は、対向する内周面に交互に突部が順次形成され、移動部で摺動するシャンクが、突部によって移動範囲が制限されるように構成することを特徴とする。
【００２１】
本発明によると、戸枠に取り付けられる戸枠固定部の前面に突出してスイッチボックスを形成し、前記スイッチボックスに設けられ、外部に露出させたシャンクの上端部に回転可能にヘッドを結合させた係止装置と、ドアに取り付けられるドア固定部に固定ピンによってロック部を回転可能に結合させることができるように、前記ロック部は一側に形成させたヒンジ結合部に固定ピンを挿通して結合し、ヒンジ結合部の側方に固定溝を形成させ、ヘッドの角度によってヘッドを固定溝の内部に挿入し、固定溝に連通させ長さ方向に形成させた移動部を含む固定装置とで構成することを特徴とする。
【００２２】
本発明によると、前記ヘッドは、横と縦方向の辺の長さが異なり、ヘッドの中心をシャンクにヒンジ結合させ、ヘッドと同じ形状の固定溝にヘッドを挿入させた後、９０°回転させ移動部の背面にヘッドが露出するようにし、固定溝と移動部でヘッドが係止されて離脱しないと共に、シャンクが移動部に沿って摺動可能に構成することを特徴とする。
【００２３】
本発明によると、前記ヘッドは、横と縦方向の辺の長さが異なり、ヘッドの一側にシャンクをヒンジ結合するが、ヘッドの一側隅を弧状に丸く処理して、ヘッドと同じ形状の固定溝にヘッドを挿入させた後、９０°回転させ移動部の背面にヘッドが露出するようにし、固定溝と移動部でヘッドが係止されて離脱しないと共に、シャンクが移動部に沿って摺動可能にする構成をさらに含むことを特徴とする。
【発明の効果】
【００２４】
上述のように、本発明のドア錠装置は、本発明の固定装置と係止装置が係合することにより、ドアが開閉できないようにする効果がある。
【００２５】
なお、本発明は、スイッチ調節部および案内部をさらに含むことにより、ドアを一定間隔だけ開くことができ、また、ドアが一定間隔で開いている状態では、ヘッドの案内部への挿入状態が解除されないため、外部の人の力でドアを完全に開くことができないという効果がある。
【００２６】
なお、本発明は、スイッチ調節部をスイッチボックスの前面部に形成されたスイッチ調節案内部を貫通して突出させることにより、スイッチを容易に調節できる効果があり、スイッチ調節案内部に固定突部をさらに形成することにより、不要なスイッチの移動を防止できる。
【００２７】
なお、本発明は、スイッチボックスの内部に弾性部をさらに含むことによりスイッチの移動を制御する効果があり、不要なスイッチの移動を防止できる。
【図面の簡単な説明】
【００２８】
【図１】本発明の従来技術を示す斜視図
【図２】本発明のスイッチ調節案内部をさらに含む一実施例に係る斜視図
【図３】本発明の係止装置をさらに含む一実施例に係る斜視図
【図４】本発明のスイッチを示す斜視図
【図５】本発明の望ましい一実施例に係る作動状態図
【図６】本発明において調節通孔をさらに含む一実施例に係る斜視図
【図７】本発明において弾性部をさらに含む一実施例に係る斜視図
【図８】本発明の他の実施例を示す斜視図
【図９】本発明の他の実施例を示す断面図
【図１０】本発明のまた他の実施例を示す斜視図
【図１１】本発明のまた他の実施例を示す斜視図
【図１２】本発明のまた他の実施例を示す斜視図
【図１３】本発明のまた他の実施例を示す斜視図
【発明を実施するための形態】
【００２９】
以下、添付の図面を参照して、本発明の望ましい一実施例を詳しく説明するが、本発明はこれらの実施例により限定されるものではない。
【００３０】
なお、図面中、同一の構成要素または部品に対してはできるだけ同一の符号を付す。また、本発明の説明において、関連公知の機能あるいは構成についての具体的な説明は、本発明の要旨を明確にするために省略する。
【００３１】
図２は本発明のスイッチ調節案内部をさらに含む一実施例に係る斜視図であり、図３は本発明の係止装置をさらに含む一実施例に係る斜視図であり、図４は本発明のスイッチを示す斜視図であり、図５は本発明の望ましい一実施例に係る作動状態図であり、図６は本発明において調節通孔をさらに含む一実施例に係る斜視図であり、図７は本発明において弾性部をさらに含む一実施例に係る斜視図であり、図８は本発明の他の実施例を示す斜視図であり、図９〜図１３は本発明のまた他の実施例を示す斜視図である。
【００３２】
図２〜図５に示すように、本発明のドア錠装置は、ドアに設けられる固定装置３００と、戸枠に設けられる係止装置２００とで構成される。
【００３３】
前記係止装置２００は、スイッチボックス２２０の一部が内挿される戸枠固定部２１０がクギ、ボルト、ねじなどによって戸枠に固定される。この時、前記スイッチボックス２２０と戸枠固定部２１０は一体型になることもある。
【００３４】
前記スイッチボックス２２０の前面部には、第１シャンク案内部２２１とスイッチ調節案内部２２２が一側に連通するように線型、もしくは屈曲を有する線型に形成される。
【００３５】
符号２３０はスイッチである。スイッチ２３０は、一端部に前記スイッチボックス２２０に内挿される係止片２３１が形成され、他端部にはスイッチボックス２２０の外部に突出しているヘッド２３３が形成され、係止片２３１とヘッド２３３を繋ぐシャンク２３２で構成することができる。
【００３６】
前記スイッチ２３０のシャンクは、スイッチボックス２２０の第１シャンク案内部２２１の線型軌跡に沿ってだけ動くことができ、係止片２３１およびヘッド２３３は、それ自体の大きさがあるため、スイッチボックス２２０の前面部から離脱したり、スイッチボックス２２０にスイッチ２３０全部が挿入されない構造で形成される。
【００３７】
このような係止片２３１、シャンク２３２、およびヘッド２３３は一体型に形成でき、本発明の望ましい一実施例では前記係止片２３１にスイッチ調節部２３４をさらに含むことができる。
【００３８】
前記係止片２３１において、前記スイッチ調節部２３４は、シャンク２３２から一定距離で離隔されてシャンク２３２の形成方向に突出し、前記スイッチ調節案内部２２２を貫通して外部に突出する。
【００３９】
したがって、使用者がスイッチ調節部２３４を動かすと、係止片２３１、シャンク２３２、およびヘッド２３３が一体に動くことから、前記シャンク２３２は第１シャンク案内部２２１に沿って移動することができる。
【００４０】
図２では、スイッチ調節案内部２２２は第１シャンク案内部２２１の上側に位置するが、位置は大きく制限されず、下側および左側、右側に位置させることもできる。前記第１シャンク案内部２２１とスイッチ調節案内部２２２の形状は、大きさの差があり得るが、類似の形状に形成でき、また、シャンク２３２の厚さに比べて第１シャンク案内部２２１の幅に余裕がある場合は、第１シャンク案内部２２１とスイッチ調節案内部２２２は異形状であることもある。第１シャンク案内部２２１とスイッチ調節案内部２２２が異形状である場合、第１シャンク案内部２２１が、スイッチボックス２２０の前面部に一側に連通するように線型に形成されるものである反面、スイッチ調節案内部２２２は、固定突部２３５が形成された屈折がある線型に形成でき、前記屈折があることによって止め装置として機能することができる。
【００４１】
このような止め装置としての説明および動作についての説明は、本発明の固定装置３００の構成を説明してから説明する。
【００４２】
本発明の固定装置３００は、ドア固定部３１０、ヒンジ結合部３２０、ロック部３３０、移動部３４０で構成でき、前記ドア固定部３１０は、ドアにボルト、クギ、ネジ等により取り付けられ、ドアに接する面の他側に固定ピン３１１が形成されている。
【００４３】
前記固定ピン３１１にヒンジ結合部３２０が結合して地面と平行に回折運動でき、ヒンジ結合部３２０の他端には移動部３４０が形成され、その中央部の上側または下側にロック部３３０が形成され、これにより、ヒンジ結合部３２０、ロック部３３０、移動部３４０の形状は例えば‘┬’または‘┴’形状である。
【００４４】
本発明においてロック部３３０は、固定溝３３１および第２シャンク案内部３３２で構成され、前記固定溝３３１は、係止装置２００が図２ａの状態で固定装置３００のヒンジ結合部３２０の回折運動によって、係止装置２００と固定装置３００が係合される時に、ヘッド２３３が挿入される構造からなる。
【００４５】
本発明におけるヘッド２３３の形状は、球または四面体、六面体、八面体など一定の体積を持つ多面体であり、固定溝３３１は、前記ヘッド２３３の形状中のいずれかの平断面形状より大きかったり、或いは同一である。
ロック部３３０の第２シャンク案内部３３２は、固定溝３３１の一部から連通される線型の形状で第１シャンク案内部２２１に対応するものであり、第１シャンク案内部２２１と同一形状になることができる。
【００４６】
移動部３４０は、ヒンジ結合部３２０の他側に形成され、前記第２シャンク案内部３３２から方向転換されて連続的につながることができる。この時、望ましくは、移動部３４０は地面と平行に形成され、また、第２シャンク案内部３３２と移動部３４０の幅は、前記ヘッド２３３が離脱できない寸法で形成されることが望ましい。
【００４７】
また、第２シャンク案内部３３２および移動部３４０の断面は‘Ｃ’字状であるか、或いは２本のバーが上部および下部だけに存在する形状であり、ヘッド２３３が離脱しない構造からなる。
【００４８】
図２および図５における本発明の施錠（ロック）状態を説明する。
【００４９】
前記図２に示すように、係止装置２００に固定装置３００が係合すると、すなわちヘッド２３３が固定溝３３１に挿入すると、ドアは開かない。
【００５０】
その後、図３に示すように、係止装置２００のスイッチ調節部２３４を移動させ、シャンク２３２およびヘッド２３３が第１シャンク案内部２２１に沿って移動すると、固定装置でも固定溝３３１のヘッド２３３が第２シャンク案内部３３２に沿って移動することになる。
【００５１】
この時、第１シャンク案内部２２１とスイッチ調節案内部２２２が異形状であり、スイッチ調節案内部２２２の形状が屈折のある線型であれば、スイッチ調節部２３４が固定突部２３５に位置する場合に、重力または揺れなどのような自然的な現象によって、スイッチ調節部２３４が図２の状態から図３の状態へ変化することを防止できる止め装置として機能することができる。
【００５２】
次に、図５に示すように、使用者がドアを開くと、ヘッド２３３が固定装置３００の第２シャンク案内部３３２の下端部から運動方向を変えて案内部の内部に挿入された状態で動くことができ、移動部３４０の端部までヘッド２３３が移動すると、これ以上ドアは開かなくなる。
【００５３】
図６は、本発明の調節通孔をさらに含む一実施例に係る斜視図である。
【００５４】
本発明の係止装置２００は、スイッチボックス２２０の一部の内挿される戸枠固定部２１０が、クギ、ボルト、ねじなどによって戸枠に固定されるものであり、この時、前記スイッチボックス２２０と戸枠固定部２１０は一体型に形成することもできる。
【００５５】
前記スイッチボックス２２０の前面部には、第１シャンク案内部２２１が一側に連通するように線型に形成できる。
【００５６】
また、前記スイッチボックス２２０の一側面部には調節通孔２２３が形成されており、戸枠固定部２１０にスイッチボックス２２０の一部が内挿される場合には、前記調節通孔２２３は戸枠固定部２１０にも形成することができる。
【００５７】
符号２３０はスイッチである。スイッチ２３０は、一端部に前記スイッチボックス２２０に内挿される係止片２３１が形成され、他端部にスイッチボックス２２０の外部に突出しているヘッド２３３が形成されており、係止片２３１とヘッド２３３を繋ぐシャンク２３２で構成することができる。
【００５８】
前記スイッチ２３０のシャンクは、スイッチボックス２２０の第１シャンク案内部の線型軌跡に沿ってだけ動くことができ、係止片２３１およびヘッド２３３は、それ自体の大きさがあるため、スイッチボックス２２０の前面部から離脱したり、スイッチボックス２２０にスイッチ２３０全部が挿入されない構造で形成される。
【００５９】
このような係止片２３１、シャンク２３２、およびヘッド２３３は一体型に形成でき、本発明の望ましい一実施例では前記係止片２３１にスイッチ調節部２３４をさらに含むことができる。
【００６０】
前記スイッチ調節部２３４は、前記係止片２３１で前記調節通孔２２３を貫通して突出形成されるものであり、望ましくは板状または棒状が良い。
【００６１】
したがって、使用者がスイッチ調節部２３４を動かすと、係止片２３１、シャンク２３２、およびヘッド２３３が一体に動くことから、前記シャンク２３２は、第１シャンク案内部２２１に沿って移動することができる。
【００６２】
本発明の固定装置３００は、ドア固定部３１０、ヒンジ結合部３２０、ロック部３３０、移動部３４０で構成でき、前記ドア固定部３１０は、ドアにボルト、クギ、ネジ等により取り付けられ、ドアに接する面の他側に固定ピン３１１が形成されている。
【００６３】
前記固定ピン３１１にヒンジ結合部３２０が結合して地面と平行に回折運動でき、ヒンジ結合部３２０の他端には移動部３４０が形成され、その中央部の上側または下側にロック部３３０が形成され、これにより、ヒンジ結合部３２０、ロック部３３０、移動部３４０の形状は例えば‘┬’または‘┴’の形状である。
【００６４】
但し、図６に示すように、スイッチボックス２２０の下端部に調節通孔２２３が形成され、係止片２３１の下部にスイッチ調節部２３４が形成されて、調節通孔２２３を貫通して外部に露出している場合は、ヒンジ結合部３２０、ロック部３３０、移動部３４０の形状は‘┬’であることが望ましい。
【００６５】
これは、一般に、スイッチ２３０は、重力によって地面近くあるため使用者がスイッチ調節部２３４に力を加え上方に押し上げることにより、施錠（ロック）状態を変化させることがより有利なためである。
【００６６】
本発明においてロック部３３０は、固定溝３３１および第２シャンク案内部３３２で構成され、前記固定溝３３１は、係止装置２００が固定装置３００のヒンジ結合部３２０の回折運動によって係止装置２００と固定装置３００が係合される時に、ヘッド２３３が挿入される構造からなる。
【００６７】
本発明におけるヘッド２３３の形状は、球体または四面体、六面体、八面体など一定の体積を持つ多面体であり、固定溝３３１は、前記ヘッド２３３の形状中のいずれかの平断面形状より大きかったり、或いは同一である。
【００６８】
ロック部３３０の第２シャンク案内部３３２は、固定溝３３１の一部から連通される線型の形状で、第１シャンク案内部２２１に対応するものであり、第１シャンク案内部２２１と同一形状になることができる。
【００６９】
移動部３４０は、ヒンジ結合部３２０の他側に形成され、前記第２シャンク案内部３３２から方向転換されて連続的につながることができる。この時、望ましくは移動部３４０は地面と平行に形成され、また、第２シャンク案内部３３２と移動部３４０の幅は、前記ヘッド２３３が離脱できない寸法で形成されることが望ましい。
【００７０】
また、第２シャンク案内部３３２および移動部３４０の断面は‘Ｃ’字状であるか、或いは２本のバーが上部および下部だけに存在する形状であり、ヘッド２３３が離脱しない構造からなる。
【００７１】
図６における本発明の施錠（ロック）状態を説明する。
【００７２】
前記スイッチ２３０のヘッド２３３およびシャンク２３２がシャンク２３２案内部の下端部に位置することを開始地点とする。使用者は、係止装置２００に対し固定装置３００のヒンジ結合部３２０を回折運動させることにより、ヘッド２３３が固定溝３３１に挿入される。
【００７３】
この時、ドアの内部および外部に位置した使用者は、ドアを開くことができない状態である。
【００７４】
その後、ドアの内部にいる使用者が、スイッチ調節部２３４を下方から上方に押し上げると、スイッチ２３０のヘッド２３３は、固定溝３３１に挿入された状態から第２シャンク案内部３３２の内部に挿入された状態に移行し、またシャンク２３２は、第１シャンク案内部２２１および第２シャンク案内部３３２に沿って移動することになる。
【００７５】
シャンク２３２が、第１シャンク案内部２２１および第２シャンク案内部３３２の停止地点、すなわち運動開始地点から最後地点まで上がると、ドアの内部および外部にいる使用者はドアを開くことができる状態となる。
【００７６】
ドアを開くと、ヘッド２３３が固定装置３００の第２シャンク案内部３３２に挿入された状態から運動方向を変えて、移動部３４０の内部に挿入された状態に連続して動くことができるが、ヘッド２３３が移動部３４０の端部まで移動すると、これ以上ドアが開かなくなる。
【００７７】
図７は、本発明の弾性部をさらに含む一実施例に係る斜視図である。
【００７８】
弾性部２２４としては板バネ２２５が使われ、前記スイッチボックス２２０の左右側面に内挿され、望ましくは、左側および右側のそれぞれに一つずつ内挿することが望ましい。
【００７９】
スイッチ調節部２３４を動かすことによって係止片（図示せず）が運動し、続いて、スイッチのシャンク２３２がシャンク案内部２２１に沿って移動する。シャンク２３２が板バネ２２５が反っている中心部を通過する時に、前記板バネ２２５の付勢力によって、シャンク２３２の位置はスイッチボックス２２０の上側または下側に固定され、使用者の力が加えられる前は、板バネ２２５はスイッチの位置を固定させる止め装置として機能する。
【００８０】
板バネ２２５が使われる本発明において、固定装置３００は、固定ピン３１１が形成されているドア固定部３１０、ヒンジ結合部３２０、ロック部３３０、移動部３４０で構成することができる。
【００８１】
前記固定ピン３１１にヒンジ結合部３２０が結合して地面に平行に回折運動でき、ヒンジ結合部３２０の他端には移動部３４０が形成され、その中央部の上側または下側にロック部３３０が形成され、これにより、ヒンジ結合部３２０、ロック部３３０、移動部３４０の形状は例えば‘┬’または‘┴’の形状である。
【００８２】
但し、図７では、ロック部３３０がヒンジ結合部３２０と移動部３４０の中央部の上側に位置することを示している。
【００８３】
本発明においてロック部３３０は、固定溝３３１および第２シャンク案内部３３２で構成され、前記固定溝３３１は、係止装置２００が固定装置３００のヒンジ結合部３２０の回折運動によって、係止装置２００と固定装置３００が係合される時に、ヘッド２３３が挿入される構造からなる。
【００８４】
本発明におけるヘッド２３３の形状は、球または四面体、六面体、八面体など一定の体積を持つ多面体であり、固定溝３３１は、前記ヘッド２３３の形状中のいずれかの平断面形状より大きかったり、或いは同一である。
【００８５】
ロック部３３０の第２シャンク案内部３３２は、固定溝３３１の一部から連通される線型の形状で、第１シャンク案内部２２１に対応するものであり、第１シャンク案内部２２１と同一形状になることができる。
【００８６】
移動部３４０は、ヒンジ結合部３２０の他側に形成され、前記第２シャンク案内部３３２から方向転換されて連続的につながることができる。この時、望ましくは移動部３４０は地面と平行に形成され、また、第２シャンク案内部３３２と移動部３４０の幅は、前記ヘッド２３３が離脱できない寸法で形成されることが望ましい。
【００８７】
また、第２シャンク案内部３３２および移動部３４０の断面は‘Ｃ’字状であるか、或いは２本のバーが上部および下部だけに存在する形状であり、ヘッド２３３が離脱しない構造からなる。
【００８８】
そして、前記ヒンジ結合部３２０の端部の外周縁には、半弧状の係止溝３２１を順次に連続形成させ、係止溝３２１と対応する位置のヒンジ結合部が結合されたドア固定部３１０に形成させたスプリングの付勢力によって、上方向に付勢されるボール３２３が係止溝３２１に加圧され、ロック部３３０の回転角度が段階的に変化する。
【００８９】
なお、前記スイッチボックス２１０の上下部面に形成させた調節通孔２２３に断面の形状が円形のスイッチ調節部２３４を嵌挿するが、スイッチ調節部２３４の外周縁にはコイルスプリング２３６を装着し、スイッチ調節部２３４が弾力的に付勢されるようにして、前記スイッチボックス２１０の前方に形成させた第１シャンク案内部２２１に露出されたヘッド２３３とシャンク２３２の上下作動によって、スイッチ調節部２３４の昇降作動が可能な構成をさらに含む。
【００９０】
なお、前記固定装置３００の移動部２００は、対向する内周面に交互に突部３４１が順次形成され、移動部３４０で摺動するシャンク２３２が、突部３４１によって移動範囲が制限されるようにする。
【００９１】
次に、図８〜図９に示すように、本発明のドア錠装置の他の実施例は次の通りである。
【００９２】
戸枠に取り付けられる戸枠固定部２１０の前面に突出してスイッチボックス２２０を形成し、前記スイッチボックス２２０に設けられ、外部に露出させたシャンク２３２の上端部に回転可能にヘッド２３３を結合させた係止装置２００と、ドアに取り付けられるドア固定部３１０に、固定ピン３１１によってロック部３３０を回転可能に結合させることができるように、前記ロック部３３０は一側に形成させたヒンジ結合部３２０に固定ピン３１１を挿通して結合し、ヒンジ結合部３２０の側方に固定溝３３１を形成させ、ヘッド２３３の角度によってヘッド２３３を固定溝の内部に挿入し、固定溝３３１に連通させ長さ方向に形成させた移動部３４０を含む固定装置３００と、から構成する。
【００９３】
ここで、前記ヘッド２３３は、横と縦方向の辺の長さが異なり、ヘッド２３３の中心をシャンク２３２にヒンジ結合させ、ヘッド２３３と同じ形状の固定溝３３１にヘッド２３３を挿入させた後、９０°回転させ、移動部３４０の背面にヘッド２３３が露出するようにし、固定溝３３１と移動部３４０でヘッド２３３が係止されて離脱しないと共に、シャンク２３２が移動部３４０に沿って摺動可能にする。
【００９４】
なお、図１０〜図１３に示すように、前記ヘッド２３３は、横と縦方向の辺の長さが異なり、ヘッド２３３の一側にシャンク２３２をヒンジ結合するが、ヘッド２３３の一側隅を弧状に丸く処理して、ヘッド２３３と同じ形状の固定溝３３１にヘッド２３３を挿入させた後、９０°回転させ移動部３４０の背面にヘッド２３３が露出するようにし、固定溝３３１と移動部３４０でヘッド２３３が係止されて離脱しないと共に、シャンク２３２が移動部３４０に沿って摺動可能な構成をさらに含む。
【００９５】
本発明における施錠（ロック）状態を説明する。
【００９６】
前記スイッチ２３０のヘッド２３３およびシャンク２３２がシャンク案内部の上端部に位置することを開始地点とする。使用者は、係止装置２００に対し固定装置３００のヒンジ結合部３２０を回折運動させることにより、ヘッド２３３が固定溝３３１に挿入される。
【００９７】
この時、ドアの内部および外部に位置した使用者は、ドアを開くことができない状態である。
【００９８】
その後、ドアの内部にいる使用者が、スイッチ調節部２３４を上方から下方に押し下げると、スイッチ２３０のヘッド２３３は、固定溝３３１に挿入された状態から第２シャンク案内部３３２の内部に挿入された状態に移行し、またシャンク２３２は、スイッチボックス２２０に内挿された左右側の板バネ２２５を通過して、第１シャンク案内部２２１および第２シャンク案内部３３２に沿って移動することになる。
【００９９】
シャンク２３２が、第１シャンク案内部２２１および第２シャンク案内部３３２の停止地点、すなわち運動開始地点から最後地点まで下がると、ドアの内部および外部にいる使用者はドアを開くことができる状態となる。
【０１００】
ドアを開くと、ヘッド２３３が固定装置３００の第２シャンク案内部３３２に挿入された状態から運動方向を変えて、移動部３４０の内部に挿入された状態に連続して動くことができるが、ヘッド２３３が移動部３４０の端部まで移動すると、これ以上ドアが開かなくなる。
【０１０１】
また、図８〜図９に示すように、他の実施例のドア錠装置は、上述した作動方法と同一であるが、ロック部３３０の回転角度を段階的に回転させることができる。
【０１０２】
すなわち、係止装置２００のヘッド２３３を固定装置３００の移動部３４０で係止させ、施錠（ロック）機能を遂行する時にドアの開放程度によって固定装置のロック部がドア固定部３１０で回転することになる。
【０１０３】
この時、ロック部３３０のヒンジ結合部３２０外周縁に形成された係止溝３２１が、スプリング３２２の付勢力によって上方向に付勢されるボール３２３に密着し、ロック部３３０が回転するごとにロック部の角度が段階的に変化する。
【０１０４】
なお、図１０〜図１３に示すように、本発明の他の実施例は次のように作動する。
【０１０５】
まず、施錠状態にロックするために、戸枠にドアを閉じた状態で、係止装置２００のヘッド２３３を固定装置３００の固定溝３３１に嵌挿させる。
【０１０６】
この時、ヘッド２３３は、縦または横のうちの長い辺が垂直方向に位置するようにシャンク２３２を９０°回転させ、固定溝３３１にヘッド２３３が挿入されると共に、ロック部３３０の背面側に露出させた後、再度ヘッド２３３を９０°角度で逆回転させて固定溝３３１からヘッド２３３が離脱しないようにする。
【０１０７】
なお、ドアを部分開放させる時は、固定装置３００のロック部３３０が部分回転してドアの部分開放を可能にするが、前記固定装置３００の回転角度によって、シャンク２３２は固定装置３００の移動部３４０に摺動して移動する。
【０１０８】
最後に、戸枠からドアを開く時は、戸枠にドアを閉じてロック部３３０が回転して、固定装置３００の固定溝３３１に係止装置２００のヘッド２３３を位置させた後、ヘッド２３３を９０°角度で逆回転させて前記固定溝３３１からヘッド２３３を離脱させる。
【符号の説明】
【０１０９】
１００    従来のドア錠装置
１１０    従来の係止装置
１１１    係止突起
１２０    従来の固定装置
１２１    回折バー
１２２    係止突部
２００    係止装置
２１０    戸枠固定部
２２０    スイッチボックス
２２１    第１シャンク案内部
２２２    スイッチ調節案内部
２２３    調節通孔
２２４    弾性部
２２５    板バネ
２３０    スイッチ
２３１    係止片
２３２    シャンク
２３３    ヘッド
２３４    スイッチ調節部
２３５    固定突部
２３６    コイルスプリング
３００    固定装置
３１０    ドア固定部
３１１    固定ピン
３２０    ヒンジ結合部
３２１    係止溝
３２２    スプリング
３２３    ボール
３３０    ロック部
３３１    固定溝
３３２    第２シャンク案内部
３４０    移動部
３４１    突部
【図１】
2010510410.tif 000003
【図２】
2010510410.tif 000004
【図３】
2010510410.tif 000005
【図４】
2010510410.tif 000006
【図５】
2010510410.tif 000007
【図６】
2010510410.tif 000008
【図７】
2010510410.tif 000009
【図８】
2010510410.tif 000010
【図９】
2010510410.tif 000011
【図１０】
2010510410.tif 000012
【図１１】
2010510410.tif 000013
【図１２】
2010510410.tif 000014
【図１３】
2010510410.tif 000015
【国際調査報告】
2010510410.tif 000016
2010510410.tif 000017